(57)【要約】      （修正有）【課題】一般に流通する飲料ボトルを利用して手間をかけずに植物の水耕栽培を行う水耕栽培セットを提供する。【解決手段】本水耕栽培用アタッチメント１は、キャップ装着用に予め形成されている飲料ボトルＢの口部のねじ部を利用して飲料ボトルＢの口部に装着可能とされていて、飲料ボトルＢの内部の水により水耕栽培を行う水耕栽培用アタッチメントであって、ねじ部に着脱自在に螺合するキャップ部材５と、該キャップ部材５に上方から挿入され、且つ内部に種子を保水状態とするための保水材を備え、さらに、植物Ｐの植え付け面となっている上端開口部６を備えたケース体３とを有していて、ケース体３とキャップ部材５とが飲料ボトルＢのねじ部から一体状態で取り外し可能となるように、ケース体３の上端開口部６がキャップ部材５の上端に係合している。【選択図】図１
0003168217.tif 000002
【実用新案登録請求の範囲】
【請求項１】
キャップ装着用に予め形成されている飲料ボトルの口部のねじ部を利用して当該飲料ボトルの口部に装着可能とされていて、飲料ボトルの内部の水により水耕栽培を行う水耕栽培用アタッチメントであって、
前記ねじ部に着脱自在に螺合するキャップ部材と、
前記キャップ部材に上方から挿入され、且つ内部に種子を保水状態とするための保水材を備え、さらに、植物の植え付け面となっている上端開口部を備えたケース体と、を有していて、
前記ケース体とキャップ部材とが飲料ボトルのねじ部から一体状態で取り外し可能となるように、前記ケース体の上端開口部がキャップ部材の上端に係合していることを特徴とする水耕栽培用アタッチメント。
【請求項２】
前記ケース体の上端開口部がキャップ部材の上端と面一となるように係合していることを特徴とする請求項１に記載の水耕栽培用アタッチメント。
【請求項３】
前記ケース体は、
互いに組み合わせることで有底円筒形状の外観となる左右一対の分割体と、これらの分割体同士を一体に連結する連結帯と、を備えており、
前記分割体同士を組み合わせることで形成される有底円筒形状の内側に保水材が収納されていることを特徴とする請求項１または２に記載の水耕栽培用アタッチメント。
【請求項４】
前記ケース体には、当該ケース体の内部に水を案内する導水孔が複数形成されていることを特徴とする請求項１〜３のいずれかに記載の水耕栽培用アタッチメント。
【請求項５】
前記ケース体の上端側の外周面には、径外側に向かって突出する突起部が形成されており、
前記キャップ部材には、前記ケース体の下端側の通過を許容しつつ前記突起部の通過を規制可能な開口径を有する取付孔が形成されており、
前記取付孔の内周縁には、ケース体とキャップ部材との同伴回転を可能とすべく、前記突起部と係合する突起係合部が形成されていることを特徴とする請求項１〜４のいずれかに記載の水耕栽培用アタッチメント。
【請求項６】
請求項１〜５のいずれかに記載された水耕栽培用アタッチメントと、水耕栽培用の植物の種子とを備えている水耕栽培セット。
【考案の詳細な説明】
【技術分野】
【０００１】
本考案は、水耕栽培用アタッチメント及び水耕栽培セットに関するものである。
【背景技術】
【０００２】
近年は、ハーブや野菜などの植物をキッチン、リビング、ベランダなどの狭い場所で手軽に育てるインドアでのガーデニング（キッチンガーデニング）が流行している。このようなガーデニングを行うに際しては、屋内に大がかりな植木鉢などを置くスペースが確保できないことが多く、ペットボトルや豆腐のパックなどのようにキッチンでよく見かける小容器を再利用して栽培に用いることがある。
【０００３】
例えば、特許文献１には、このようなペットボトル（飲料ボトル）を再利用した植物の栽培方法であって、ペットボトルを上下方向の中途側で２つに切り分けて、口部がある先端側（上半分）をひっくり返して基端側（下半分）の上に重ね合わせた栽培容器を利用して水耕栽培を行う方法が開示されている。この栽培容器では、ひっくり返して重ねる上半分は下方に行くに従って先細り状になっているので、この部分を塞げば簡単に土止めできる。また、ペットボトルに穿孔すれば、下半分の容器に入れられた水を植物に届けることはそれほど難しくない。それゆえ、特許文献１の方法では、ペットボトルを再利用して植物の水耕栽培が手軽に実施可能となる。
【先行技術文献】
【特許文献】
【０００４】
【特許文献１】特開２００１−３２０９７０号公報
【考案の概要】
【考案が解決しようとする課題】
【０００５】
上述した特許文献１の栽培容器は、飲料ボトルを半分に切断して重ね合わせるだけで簡単に水耕栽培用の容器が得られるので、手間をかけずに植物の水耕栽培が可能となる点に利点がある。
しかし、この栽培容器は切り分けた飲料ボトルを重ね合わせただけの構造であるため、転倒した場合に部品同士がバラバラになって容器内に収納された水やマットなどがこぼれやすいという問題がある。無論、切り分けた容器同士をしっかりと固定したり、水や土が外に出ない構造（密閉構造）としたりすることも可能であるが、このような複雑な構造を採用することは特許文献１の栽培容器の長所である「手軽さ」を損なわしめるため好ましくない。
【０００６】
一方、特許文献１の栽培容器では、飲料ボトルを切り分ける作業や切り分けたもの同士を重ね合わせて組み立てたりする作業がある程度は必要になる。また、特許文献１の栽培容器は、内部に蓄えられた水を密閉できるものではないので、水が短時間で蒸発してしまう場合があり、頻繁に容器の水を換えなくてはならない。これらの点から、特許文献１の栽培方法は、容器を用意する際に、また植物の栽培を行う際に手間がかかるものとなっていた。
【０００７】
本考案は、上述の問題に鑑みてなされたものであり、一般に流通する飲料ボトルを利用して手間をかけずに植物の水耕栽培を行うことができる水耕栽培用アタッチメント及び水耕栽培セットを提供することを目的とする。
【課題を解決するための手段】
【０００８】
前記目的を達成するため、本考案は次の技術的手段を講じている。
即ち、本考案の水耕栽培用アタッチメントは、キャップ装着用に予め形成されている飲料ボトルの口部のねじ部を利用して当該飲料ボトルの口部に装着可能とされていて、飲料ボトルの内部の水により水耕栽培を行う水耕栽培用アタッチメントであって、前記ねじ部に着脱自在に螺合するキャップ部材と、前記キャップ部材に上方から挿入され、且つ内部に種子を保水状態とするための保水材を備え、さらに、植物の植え付け面となっている上端開口部を備えたケース体と、を有していて、前記ケース体とキャップ部材とが飲料ボトルのねじ部から一体状態で取り外し可能となるように、前記ケース体の上端開口部がキャップ部材の上端に係合していることを特徴とするものである。
【０００９】
このようにキャップ部材に対してケース体を上方から挿入してゆき、ケース体の上端開口部をキャップ部材の上端に係合させ両者を一体とし、その上で、キャップ部材を飲料ボトルの口部に装着すれば、ケース体に備えられた保水材が飲料ボトル内に位置することになり、飲料ボトル内に入れられた水に保水材を浸すことも可能となるので、保水材に植え付けられた植物の水耕栽培を行うことが可能となる。
【００１０】
特に、飲料ボトルにキャップ部材を螺合させた上で、ケース体の上端開口部をキャップ部材の上端に係合させれば、ケース体が飲料ボトルにしっかりと取り付けられるので、容器内に収納された水やマットなどがこぼれ難くなる。その上、水交換の際などには、ケース体とキャップ部材とが飲料ボトルのねじ部から一体状態で取り外し可能となるので、植物の栽培を行う際にも手間がかからない。
【００１１】
なお、前記ケース体の上端開口部がキャップ部材の上端と面一となるように係合しているのが好ましい。
また、前記ケース体は、互いに組み合わせることで有底円筒形状の外観となる左右一対の分割体と、これらの分割体同士を一体に連結する連結帯と、を備えており、前記分割体同士を組み合わせることで形成される有底円筒形状の内側に保水材が収納されているのが好ましい。
【００１２】
さらに、前記ケース体には、当該ケース体の内部に水を案内する導水孔が複数形成されているのが好ましい。
さらにまた、前記ケース体の上端側の外周面には、径外側に向かって突出する突起部が形成されており、前記キャップ部材には、前記ケース体の下端側の通過を許容しつつ前記突起部の通過を規制可能な開口径を有する取付孔が形成されており、前記取付孔の内周縁には、ケース体とキャップ部材との同伴回転を可能とすべく、前記突起部と係合する突起係合部が形成されているのが好ましい。
【００１３】
なお、上述した水耕栽培用アタッチメントを実際に販売等する際には、この水耕栽培用アタッチメントと、水耕栽培しようとする植物の種子とを備えている水耕栽培セットを用いることもできる。
【考案の効果】
【００１４】
本考案の水耕栽培用アタッチメント及び水耕栽培セットによれば、一般に流通する飲料ボトルを利用して手間をかけずに植物の水耕栽培を行うことができる。
【図面の簡単な説明】
【００１５】
【図１】本考案の水耕栽培用アタッチメントの使用態様を示す図である。
【図２】（ａ）は本考案の水耕栽培用アタッチメントの平面図、（ｂ）は正面断面図である。
【図３】水耕栽培用アタッチメントの拡大断面図である。
【図４】（ａ）は水耕栽培用アタッチメントのキャップ部材の平面図、（ｂ）は正面断面図である。
【図５】（ａ）は水耕栽培用アタッチメントのケース部材の平面図、（ｂ）は正面断面図、（ｃ）は（ｂ）のＡ−Ａ線断面図である。
【考案を実施するための形態】
【００１６】
本考案に係る水耕栽培用アタッチメント１は、「ペットボトル」などの飲料ボトルＢに取りつけられて、植物Ｐの水耕栽培を行うものである。
この水耕栽培用アタッチメント１を取りつけ可能な飲料ボトルＢには、お茶、ミネラルウォータ、スポーツドリンク、ジュース、コーヒー、紅茶などを入れるものを挙げることができる。このような飲料ボトルＢには、例えばＰＥＴ樹脂を用いた「ペットボトル」やＰＥＴ以外の樹脂を用いたプラスチック製のボトル、アルミや鉄など金属を用いた「ボトル缶」、ガラスなどを用いた「ガラスボトル」などを用いることができる。また、この飲料ボトルＢの大きさには内容積３７０ｍｌ、５００ｍｌ、７５０ｍｌ、１０００ｍｌ、１５００ｍｌ、２０００ｍｌなどといった規格サイズのものから、これらの規格外のものまでさまざまなサイズのものを用いることができる。
【００１７】
これらの飲料ボトルＢの口部には、入れられた飲料の保存性や安全性を高めるために、一般にキャップが装着されている。このキャップは、一旦開封した後に再びキャップの開け閉めができるように、ねじ式で飲料ボトルＢの口部に装着されていることが多く、口部にはキャップ装着用にねじ部Ｔが予め形成されていることも多い。
そこで、本考案の水耕栽培用アタッチメント１は、このように予め形成されているねじ部Ｔを利用して飲料ボトルＢに装着可能となっており、最初に取りつけられていたキャップを取り除いて飲料ボトルＢだけを再利用する構成となっている。この水耕栽培用アタッチメント１は、例えば入っていた飲料を飲み干した後で、キャップだけを取り除いて飲料ボトルＢに水や養分を入れ、この水や養分が入れられた飲料ボトルＢに装着して植物Ｐの水耕栽培を可能にするものである。
【００１８】
図１に示すように、本考案の水耕栽培用アタッチメント１は、予め形成されているねじ部Ｔに着脱自在に螺合するキャップ部材５と、内部に種子を保水状態とするための保水材２を備えたケース体３と、を有している。このキャップ部材５の中央にはケース体３を挿入可能な取付孔４が形成されており、この取付孔４に対しては上方からケース体３が挿入されている。また、ケース体３の上端には、植物Ｐの植え付け面となっている上端開口部６が備えられている。
【００１９】
次に、水耕栽培用アタッチメント１を構成するケース体３及びキャップ部材５について、詳しく説明する。
まず、上述した水耕栽培用アタッチメント１で水耕栽培可能な植物Ｐについて説明する。このような植物Ｐとしては、野菜、草花、観葉植物などのさまざまな種類のものが挙げられる。一般的な植物Ｐは、乾燥を好む一部の種類を除いて、水耕栽培が可能といわれており、本考案の水耕栽培用アタッチメント１は水耕栽培が可能な植物であればどの種類のものに対しても適用することができる。
【００２０】
このような植物Ｐとしては、例えばトマト、イチゴ、ワイルドストロベリー、ハーブ、葉野菜、観葉植物が挙げられる。これらの植物Ｐは、種子や球根の状態、または適当な大きさにカットされた茎や根の状態で水耕栽培用アタッチメント１の保水材２の中に収納されている。なお、図１は、トマトの種子を用いた水耕栽培用アタッチメント１の例であり、種子から発芽して生育が進んだトマトの水耕栽培の状態を示すものである。
【００２１】
図２に示すように、保水材２は、多孔質で吸水性や通気性に優れる材料、例えば古紙、不織布、炭（木炭・竹炭）、軽石、ガラスファイバーなどを適宜組み合わせた材料か、一般的に「ハイドロコーン」としてハイドロカルチャー（観葉植物Ｐの水耕栽培）に用いられる発泡煉石を主体とする材料などが用いられる。これらの保水材２は、上述した植物Ｐの種子（以降の説明において、「種子」という場合は、純粋な種子だけでなく球根、根、茎の状態のものを含む）を取り囲むように配備されており、飲料ボトルＢの内部の水を吸い上げて種子を絶えず保水状態にしてその生育を促進する機能を備えている。
【００２２】
図５に示すように、ケース体３は、合成樹脂や金属などで有底円筒状の外観に形成されている。このケース体３の内部は空洞とされており、保水材２を外部から取り囲むようにして収納できるようになっている。このケース体３の外周面や底面には水を内外に案内する導水孔１７が複数形成されている。これらの導水孔１７は、ケース体３の外周面に丸穴や角穴形状のものをランダムに配置しても良いが、後述する図５に示すように文字や図形を象った穴形状の導水孔１７を用いてデザイン性を高めても良い。
【００２３】
このケース体３の上端には、上方に向かって開口する上端開口部６が設けられている。この上端開口部６は、ケース体３の内部に日光や空気を届けることで植物Ｐの生育を可能とすると共に、生育が進んで植物Ｐが上方に向かって伸びる際に生育を阻害しないように開放状態となっている。
ケース体３は、２つの分割体を組み合わせることで形成される構造となっていて、互いに組み合わせることで有底円筒形状の外観となる左右一対の分割体７Ｌ、７Ｒと、これらの分割体７Ｌ、７Ｒ同士を一体に連結する連結帯８と、を備えている。これら左右一対の分割体７Ｌ、７Ｒは有底円筒を長手方向に２つに半割したような形状に形成されており、半割した左半分が左側の分割体７Ｌに、また半割した右半分が右側の分割体７Ｒに相当するようになっている。また、連結帯８は長手方向に２箇所に亘って設けられており、一対の分割体７Ｌ、７Ｒ同士を互いに折り曲げ自在に連結している。このように一対の分割体７Ｌ、７Ｒ同士を連結帯８で連結すれば、連結帯８を介して分割体７Ｌ、７Ｒ同士が一体物となり、射出成形を用いて一度に成形することが可能となる。
【００２４】
一方、連結帯８の左右に設けられた一対の分割体７Ｌ、７Ｒのさらに外側には、連結帯８が設けられた側の反対側の分割体７Ｌ、７Ｒ同士を係脱自在に係止する結束部９が設けられている。この結束部９は、右側の分割体７Ｒに設けられた突片１０と、左側の分割体７Ｌに穿孔されると共に突片１０と係合可能な係合孔１１とを係合させることで、左右の分割体７Ｌ、７Ｒ同士が互いに組み合わされて略円筒形状の外観になるようになっている。
【００２５】
ケース体３の上端側の外周面には、径外側に向かって突出する突起部１２が形成されている。この突起部１２は、左側の分割体７Ｌから左側に向かってフランジ状に突出する左突起部１２Ｌと、右側の分割体７Ｒから右側に向かってフランジ状に突出する右突起部１２Ｒとで構成されている。このように左右方向に突出する左右の突起部１２Ｌ、１２Ｒを設けておけば、これらの突起部１２Ｌ、１２Ｒが後述するキャップ部材５の突起係合部１３と係合してケース体３の下方移動が規制され、キャップ部材５に対するケース体３の挿し込み位置を位置決めすることが可能となる。
【００２６】
上述した突起部１２より下方のケース体３の外周面には、ケース体３をキャップ部材５に挿し込まれた状態に固定する抜け止め部材１４が設けられている。この抜け止め部材１４は、ケース体３の外周面に対してコ字状の切り込みを入れて形成されたものであり、ケース体３の外周面と繋がった下側に対して上側が揺動自在となっており、この揺動自在な抜け止め部材１４の上端が後述するキャップ部材５の取付孔４の開口縁と係合してケース体３を挿し込まれた状態に固定するようになっている。
【００２７】
図４に示すように、キャップ部材５は、上方と下方とに開口を有する短い円筒状に形成されている。このキャップ部材５の外周面には上下方向に伸びる３本の溝からなる滑り止め部１５が周方向に６箇所に亘って形成されており、飲料ボトルＢのねじ部Ｔにキャップ部材５を螺合させる際につまんで回しやすくなっている。また、キャップ部材５の内周面には上述した飲料ボトルＢの口部に予め形成されているねじ部Ｔに螺合する雌ねじ部１６が形成されており、キャップ部材５は飲料ボトルＢの口部に着脱自在に装着可能となっている。
【００２８】
なお、上述した滑り止め部１５は、シボ加工やサンドブラストのような表面処理で凹凸形成されたものであっても良いし、表面に滑り止めテープなどを貼り付けたものであっても良い。また、滑り止め部１５の形状は、単なる溝でなく、ドット状の凹みであっても良いし、溝やドット状の凹みを適宜組み合わせて離れて見た場合にロゴやマークとなるようにしても良い。
【００２９】
キャップ部材５の上面には、このキャップ部材５の中央を上下方向に貫通する取付孔４が形成されている。この取付孔４は上側４Ｕが略楕円形に開口する縦穴形状となっており下側４Ｄが略円形に開口する縦穴形状となっていて、開口形状が異なる２つの縦穴を上下に繋げたような構造となっている。具体的には、取付孔４の上側４Ｕは下側４Ｄに比べて左右方向に広幅となっているが、前後方向には同じ幅となっており、この下側４Ｄの幅はケース体３の下側の通過は許容するが突起部１２の通過は規制する寸法となっている。そして、取付孔４の上側４Ｕには突起部１２Ｌ、１２Ｒがはめ込めるようになっている。
【００３０】
それゆえ、この取付孔４に上方からケース体３を挿し込むと、突起部１２Ｌ、１２Ｒが取付孔４の上側４Ｕに嵌り込んでケース体３が挿し込み状態で固定され、ケース体３とキャップ部材５との同伴回転が可能になる。つまり、この突起部１２と係合する取付孔４の上側４Ｕは、ケース体３の下方移動を規制してケース体３の挿し込み位置を位置決めする被係合部として機能している。
【００３１】
次に、本考案の水耕栽培用アタッチメント１を用いて植物Ｐを水耕栽培する方法について説明する。
まず、水耕栽培用アタッチメント１に植物Ｐの種子または球根などをセットする。具体的には、種子の周囲を保水材２で取り囲むように覆い、次に左右に開かれている左右一対の分割体７Ｌ、７Ｒの間に保水材２を入れる。そして、左右一対の分割体７Ｌ、７Ｒをその外観形状が円筒状になるように互いに組み合わせた上で、結束部９で開かないように固定する。このようにして円筒状に組み合わされたケース体３を、キャップ部材５の取付孔４の上方から下方に向かって挿し込む。
【００３２】
やがて、ケース体３の上端に形成された突起部１２が取付孔４の上側４Ｕに嵌り込み、それ以上は下方に移動しなくなる。それと同時に、ケース体３とキャップ部材５とが個別に回転できなくなって、両者が同伴回転するようになり、ケース体３とキャップ部材５とを一体に係合させたまま飲料ボトルＢに装着したり飲料ボトルＢから取り外したりすることが可能となる。
【００３３】
一方、栽培する植物Pの植え替えを行う際は、ケース体３を上方に移動させて、キャップ部材５の取付孔４からケース体３を引き抜く。そして、結束部９を外して左右一対の分割体７Ｌ、７Ｒを左右に開く。そうすると、ケース体３の内部から保水材２を取り出すことが可能となり、この中に植物Ｐの種子や球根などを取り替えることが可能となる。
上述のような構成であれば、キャップ部材５ごとケース体３が飲料ボトルＢの内部に挿し込まれた状態で取り付けられ、ケース体３の導水孔１７から案内された水が保水材２を保水状態にし、保水材２から供給された水分により植物Ｐの生育が促進されて、植物Ｐの水耕栽培が可能となる。
【００３４】
また、飲料ボトルＢにキャップ部材５を螺合させた上で、ケース体３の上端開口部６をキャップ部材５の上端（取付孔４の開口縁）に係合させれば、ケース体３が飲料ボトルＢにしっかりと取り付けられるので、容器内に収納された水やマットなどがこぼれ難くなる。
さらに、栽培中に水交換をする際などには、ケース体３とキャップ部材５とが飲料ボトルＢのねじ部Ｔから一体状態で取り外し可能となるので、植物Ｐの栽培を行う際にも手間がかからない。
【００３５】
本考案は上記実施形態に限定されるものではなく、考案の本質を変更しない範囲で各部材の形状、構造、材質、組み合わせなどを適宜変更可能である。
【符号の説明】
【００３６】
１  水耕栽培用アタッチメント
２  保水材
３  ケース体
４  取付孔
４Ｕ取付孔の上側
４Ｄ取付孔の下側
５  キャップ部材
６  上端開口部
７Ｌ分割体
７Ｒ分割体
８  連結帯
９  結束部
１０  突片
１１  係合孔
１２  突起部
１２Ｌ左突起部
１２Ｒ右突起部
１３  突起係合部
１４  抜け止め部材
１５  滑り止め部
１６  雌ねじ部
１７  導水孔
Ｂ  飲料ボトル
Ｐ  植物
Ｔ  ねじ部
【図３】
0003168217.tif 000003
【図４】
0003168217.tif 000004
【図５】
0003168217.tif 000005
【図１】
0003168217.tif 000006
【図２】
0003168217.tif 000007